(57)【要約】      （修正有）【課題】開閉扉の取付空間に発光手段を配置して省スペース化と発光制御の単純化とを図るとともに、入賞扉や開閉扉が開閉するとき発光手段の発光態様が変化することによって、発光態様を増加させて遊技に対する興趣の向上を図る遊技機用可変入賞装置を提供する。【解決手段】入賞装置４は、回動可能な矩形状の下扉１０と、その上方で回動可能な矩形状の上扉２０と、下扉１０を回動変位させるためのソレノイド３０と、下扉１０の回動変位と同期して上扉２０を回動変位させるための連動機構と、遊技者側を照射するための前向きＬＥＤ５１と入賞領域５ｃを下向きに照射する下向きＬＥＤ５２が実装された発光基板５０とを備えている。下扉１０が閉鎖位置と開放位置との間を可逆的に揺動変位するのに伴い、上扉２０は連動機構を介して収納位置と突出位置との間を可逆的に揺動変位するとともに、ＬＥＤ５１及びＬＥＤ５２の発光態様が変化する。【選択図】図６
2008272230.tif 000002
【特許請求の範囲】
【請求項１】
遊技盤の盤面上に形成された遊技領域から遊技者の位置する前方側とは反対側の後方側に向かう入賞領域へ遊技球を導入するための入賞口を有し、前記遊技盤に固定された遊技機用可変入賞装置であって、
前記遊技盤と平行状で遊技球の流下方向と交差する第一回動軸線周りで回動可能に配置され、前記遊技盤に沿って起立することにより前記入賞口を閉鎖して遊技球の前記入賞領域への導入を不能とする閉鎖位置と、前記遊技領域へ交差状に突出することにより前記入賞口を開放して遊技球の前記入賞領域への導入を可能とする開放位置とに変位する入賞扉と、
その入賞扉に対し流下方向上手側及び／又は下手側において、前記第一回動軸線と平行状の第二回動軸線周りで回動可能に配置され、前記遊技盤に沿って収納される収納位置と、前記遊技領域へ交差状に突出する突出位置とに変位するとともに、厚み方向に貫通形成されて前記遊技領域と入賞領域とを連通可能な球通過孔を有し、その球通過孔は、前記収納位置では、前記遊技盤に固定される予定の透光性の固定部材によって前記遊技領域と入賞領域との連通状態を封鎖される一方、前記突出位置ではその連通状態を維持するように構成されている１又は複数の開閉扉と、
前記入賞扉又は開閉扉を回動変位させるためのアクチュエータと、
前記固定部材の後方側に配置されるとともに、少なくとも前記固定部材を透過して遊技者側を照射するための発光手段が実装された発光基板とを備え、
前記入賞扉及び開閉扉のうち少なくとも一方の扉が前記アクチュエータによって可逆的に揺動変位するのに伴い、前記発光手段はその発光態様が変化することを特徴とする遊技機用可変入賞装置。
【請求項２】
遊技盤の盤面上に形成された遊技領域から遊技者の位置する前方側とは反対側の後方側に向かう入賞領域へ遊技球を導入するために、流下方向を上下方向としその交差方向を左右方向とする入賞口を有する台板を含んで構成され、その台板が前記遊技盤に固定された遊技機用可変入賞装置であって、
前記遊技盤と平行状で左右方向に延びる第一回動軸線周りで回動可能に前記台板に配置され、前記遊技盤に沿って起立することにより前記入賞口を閉鎖して遊技球の前記入賞領域への導入を不能とする閉鎖位置と、前記遊技領域へ交差状に突出することにより前記入賞口を開放して遊技球の前記入賞領域への導入を可能とする開放位置とに変位する入賞扉と、
その入賞扉の上方において、前記第一回動軸線と平行状で左右方向に延びる第二回動軸線周りで回動可能に前記台板に配置され、前記遊技盤に沿って収納される収納位置と、前記遊技領域へ交差状に突出する突出位置とに変位するとともに、厚み方向に貫通形成されて前記遊技領域と入賞領域とを連通可能な球通過孔を有し、その球通過孔は、前記収納位置では、前記台板に固定された透光性の固定部材によって前記遊技領域と入賞領域との連通状態を封鎖される一方、前記突出位置ではその連通状態を維持するように構成されている開閉扉と、
前記入賞扉を前記第一回動軸線周りで回動して前記閉鎖位置と開放位置とに変位させるためのアクチュエータと、
そのアクチュエータによる前記入賞扉の閉鎖・開放作動と同期して前記開閉扉を収納・突出作動させるための連動機構と、
前記固定部材の後方側に配置されるとともに、少なくとも前記固定部材を透過して遊技者側を照射するための発光手段が実装された発光基板とを備え、
前記入賞扉が前記アクチュエータによって前記閉鎖位置と開放位置との間を可逆的に揺動変位するのに伴い、これに追随して前記開閉扉は前記連動機構を介して前記収納位置と突出位置との間を可逆的に揺動変位するとともに、前記発光手段はその発光態様が変化することを特徴とする遊技機用可変入賞装置。
【請求項３】
前記球通過孔は、前記開閉扉の長手方向に沿って複数の窓孔状に並んで配置され、
前記発光手段は、各球通過孔に対応する形で前記発光基板に複数実装されている請求項１又は２に記載の遊技機用可変入賞装置。
【請求項４】
前記開閉扉において、前記球通過孔を構成する窓枠は非透光性材料で形成されている請求項１ないし３のいずれか１項に記載の遊技機用可変入賞装置。
【請求項５】
前記開閉扉が前記入賞扉の直上に位置するとともに、前記発光基板は前記収納位置にある開閉扉の後方において前記入賞領域の上方に配置され、
前記発光基板には、前記入賞領域を下向きに照射するための下向き発光手段が実装されている請求項１ないし４のいずれか１項に記載の遊技機用可変入賞装置。
【請求項６】
前記開閉扉が前記突出位置にあるとき、前記複数の球通過孔を構成する窓枠の流下方向上手側端部には、流下方向下手側ほど窓枠の幅が拡がるように連続的に変化する平面状又は曲面状の傾斜面が形成され、
流下方向上手側に位置する前記遊技領域から導かれた遊技球は、前記傾斜面で案内され、前記球通過孔を通過して流下方向下手側に位置する前記入賞領域に導かれる請求項１ないし５のいずれか１項に記載の遊技機用可変入賞装置。
【請求項７】
請求項１ないし６のいずれか１項に記載の遊技機用可変入賞装置が前記遊技盤に固定配置されたことを特徴とする遊技機。
【発明の詳細な説明】
【技術分野】
【０００１】
本発明は、遊技機用可変入賞装置及びそれを搭載した遊技機に関する。
【背景技術】
【０００２】
従来より、例えば始動入賞口に入賞することによって当否抽選が行われ、その抽選結果が大当たりの場合には、大入賞口（大入賞装置）の開閉式の入賞扉が開放されるので、遊技者は短時間に大量の賞球を獲得することができる。そして、このような大入賞口を遊技盤の上下方向に並設することも提案され（特許文献１，２参照）、また近年の遊技機に関連する規則の緩和措置等により、複数の大入賞口を備えた遊技機が実現可能となった。
【０００３】
【特許文献１】特開２００５−３０５１３１号公報
【特許文献２】特開２００５−１８５５９４号公報
【０００４】
これらの技術によれば、例えば大当たりのパターンを増やすことによって、遊技者に大量の賞球獲得のチャンスを付与し、興趣の向上にも寄与することができる。ところが、これらに開示された技術の主眼は、大当たりの実行中に開放する大入賞口を途中変更したり（特許文献１）、大当たりの種別に応じて開放する大入賞口を変更する（特許文献２）ことによって大当たりパターン数の増加を図るものであるから、大入賞口の開口変化を報知するために大入賞口毎に開口報知手段（発光手段）の配置を要し、報知制御（発光制御）の複雑化を招く場合がある。
【０００５】
特に、これらの開示技術では、２つ（又は２つ以上）の大入賞口を同時開放することは想定されていない。したがって、いずれの大入賞口（入賞扉）が開放されるかによってそのときの大当たりのパターンを推測できるようになると、遊技者の関心（興趣）は急速に薄れてしまうおそれがある。また、同時に２つ（以上）の大入賞口（入賞扉）が開放されることはないので、入賞扉を開閉操作するためのアクチュエータ（例えばソレノイド）や大入賞口の開口変化を報知するための開口報知手段が大入賞口毎に必要となり、構造が大型化する。さらに、外部から入賞扉を開放操作することによる賞球の不正取得行為（通称ゴト行為）を防止するには入賞扉のロック機構が大入賞口毎に必要となり、ロック機構が複雑化する。
【発明の開示】
【発明が解決しようとする課題】
【０００６】
本発明の課題は、いわゆるダミー扉としての開閉扉の取付空間に発光手段を配置して省スペース化と発光制御の単純化とを図るとともに、入賞扉や開閉扉が開閉するとき発光手段の発光態様が変化することによって、発光態様を増加させて遊技に対する興趣の向上を図ることのできる遊技機用可変入賞装置と、それを用いた遊技機を提供することにある。
【課題を解決するための手段及び発明の効果】
【０００７】
上記課題を解決するために、本発明の遊技機用可変入賞装置は、
遊技盤の盤面上に形成された遊技領域から遊技者の位置する前方側とは反対側の後方側に向かう入賞領域へ遊技球を導入するための入賞口を有し、前記遊技盤に固定された遊技機用可変入賞装置であって、
前記遊技盤と平行状で遊技球の流下方向と交差する第一回動軸線周りで回動可能に配置され、前記遊技盤に沿って起立することにより前記入賞口を閉鎖して遊技球の前記入賞領域への導入を不能とする閉鎖位置と、前記遊技領域へ交差状に突出することにより前記入賞口を開放して遊技球の前記入賞領域への導入を可能とする開放位置とに変位する入賞扉と、
その入賞扉に対し流下方向上手側及び／又は下手側において、前記第一回動軸線と平行状の第二回動軸線周りで回動可能に配置され、前記遊技盤に沿って収納される収納位置と、前記遊技領域へ交差状に突出する突出位置とに変位するとともに、厚み方向に貫通形成されて前記遊技領域と入賞領域とを連通可能な球通過孔を有し、その球通過孔は、前記収納位置では、前記遊技盤に固定される予定の透光性の固定部材によって前記遊技領域と入賞領域との連通状態を封鎖される一方、前記突出位置ではその連通状態を維持するように構成されている１又は複数の開閉扉と、
前記入賞扉又は開閉扉を回動変位させるためのアクチュエータと、
前記固定部材の後方側に配置されるとともに、少なくとも前記固定部材を透過して遊技者側を照射するための発光手段が実装された発光基板とを備え、
前記入賞扉及び開閉扉のうち少なくとも一方の扉が前記アクチュエータによって可逆的に揺動変位するのに伴い、前記発光手段はその発光態様が変化することを特徴とする。
【０００８】
このような遊技機用可変入賞装置では、いわゆるダミー扉（入賞扉に代わる擬似的な扉）としての開閉扉の取付空間に発光手段を配置することができるので、発光基板設置のための省スペース化と発光制御の単純化とを図ることができる。また、入賞扉や開閉扉が開閉するとき発光手段の発光態様が変化することによって、発光態様を増加させて遊技に対する興趣の向上を図ることができる。
【０００９】
また、上記課題を解決するために、本発明の遊技機用可変入賞装置の具体的態様は、
遊技盤の盤面上に形成された遊技領域から遊技者の位置する前方側とは反対側の後方側に向かう入賞領域へ遊技球を導入するために、流下方向を上下方向としその交差方向を左右方向とする（例えば、矩形状に形成された）入賞口を有する台板を含んで構成され、その台板が前記遊技盤に固定された遊技機用可変入賞装置であって、
前記遊技盤と平行状で（例えば、前記入賞口の下辺に沿って）左右方向に延びる第一回動軸線周りで回動可能に前記台板に配置され、前記遊技盤に沿って起立することにより前記入賞口を閉鎖して遊技球の前記入賞領域への導入を不能とする閉鎖位置と、前記遊技領域へ交差状に突出することにより前記入賞口を開放して遊技球の前記入賞領域への導入を可能とする開放位置とに変位する（例えば、矩形状の）入賞扉と、
その入賞扉の上方において（例えば、当該入賞扉と等しい左右幅を有し）、前記第一回動軸線と平行状で（例えば、前記入賞口の上辺に沿って）左右方向に延びる第二回動軸線周りで回動可能に前記台板に配置され、前記遊技盤に沿って収納される収納位置（すなわち起立位置）と、前記遊技領域へ交差状に突出する突出位置（すなわち倒伏位置）とに変位するとともに、厚み方向に貫通形成されて前記遊技領域と入賞領域とを連通可能な球通過孔を有し、その球通過孔は、前記収納位置では、前記台板に固定された透光性の固定部材によって前記遊技領域と入賞領域との連通状態を封鎖される一方、前記突出位置ではその連通状態を維持するように構成されている（例えば、矩形状の）開閉扉と、
前記入賞扉を前記第一回動軸線周りで回動して前記閉鎖位置と開放位置とに変位させるためのアクチュエータと、
そのアクチュエータによる前記入賞扉の閉鎖・開放作動と同期して前記開閉扉を収納・突出作動させるための連動機構と、
前記固定部材の後方側に配置されるとともに、少なくとも前記固定部材を透過して遊技者側を照射するための発光手段が実装された発光基板とを備え、
前記入賞扉が前記アクチュエータによって前記閉鎖位置と開放位置との間を可逆的に揺動変位するのに伴い、これに追随して前記開閉扉は前記連動機構を介して前記収納位置と突出位置との間を可逆的に揺動変位するとともに、前記発光手段はその発光態様が変化することを特徴とする。
【００１０】
このような遊技機用可変入賞装置では、上記した効果に加えてさらに次のような具体的な効果を奏する。すなわち、開閉扉（ダミー扉）が入賞扉と連動して揺動開閉し、発光手段の発光態様が変化するので、入賞期待感が付与されて遊技に対する興趣を飛躍的かつ持続的に高めることができる。また、連動機構により入賞扉と開閉扉とが同期して作動し、発光手段により発光態様が変化するので、アクチュエータ数や発光手段数を増加させずに構造の簡素化・小型化及び省エネルギー化を図ることができる。さらに、入賞扉と開閉扉との間に連動機構を介在させることにより、いずれか一方の扉にロック機構を設けてあれば、外部からいずれの扉を開こうと操作しても入賞扉（入賞口）は開放位置に移動しないので賞球の不正取得行為（ゴト行為）を防止することもできる。
【００１１】
上記発光手段は、入賞扉及び開閉扉の作動に応じて発光態様が変化する他に、盤面状の遊技領域における遊技状態（遊技態様）の変化（例えば、当否抽選で大当たり発生）に応じて発光態様が変化してもよい。これらの「発光態様の変化」には、発光色（具体的には色相・明度・彩度といった色調）を変化させたり、発光状況（例えば点灯状態・点滅状態・消灯状態）を変化させたりすることが含まれる。
【００１２】
そして、このような発光手段には、発光素子（単色発光ＬＥＤ、フルカラー発光ＬＥＤ等）やランプ（白熱灯、ハロゲンランプ等）が用いられ、単体表示方式、マトリクス表示等のドット表示方式、７セグメント表示等のセグメント表示方式のいずれでも使用できる。
【００１３】
なお、上記具体的態様で例示するように、入賞口と入賞扉と１枚の開閉扉（ダミー扉）とは矩形状に形成され、互いに平行な回動軸線を有し、開閉扉が上、入賞扉が下に位置するように接近配置されていることが望ましい。これによれば、上記した構造の一層の簡素化・小型化及び省エネルギー化を図ることができる。
【００１４】
具体的には、球通過孔を開閉扉の長手方向に沿って複数の窓孔状に並んで配置し、発光手段を各球通過孔に対応する形で発光基板に複数実装することができる。このように、長手方向（例えば、左右方向）に沿って複数の窓孔状に並んだ球通過孔に対応付けて発光手段を配置し、それらの発光態様を遊技状態の変化に応じてそれぞれ変化させることにより、発光態様のバリエーションを飛躍的に増大させることができる。
【００１５】
その際、開閉扉において、球通過孔を構成する窓枠が非透光性材料で形成されていてもよい。このように、窓枠が非透光性であると表示領域の区切りがわかりやすくなり、ドット表示方式やセグメント表示方式を容易に実施できるようになる。また、遊技領域から球通過孔を通過して入賞領域に導かれる遊技球は、開閉扉の窓枠部分を横切る際に一瞬視認されなくなる（視界から消える）ので、さらに興趣が増す。
【００１６】
さらに、開閉扉が前記入賞扉の直上に位置するとともに、発光基板は収納位置にある開閉扉の後方において入賞領域の上方に配置され、
発光基板には、入賞領域を下向きに照射するための下向き発光手段を実装することが望ましい。
【００１７】
このような遊技機用可変入賞装置では、ダミー扉としての開閉扉の取付空間に下向き発光手段を配置することができるので、発光基板設置のための省スペース化と発光制御の単純化とを図ることができる。また、入賞扉や開閉扉が開閉するとき下向き発光手段の発光態様が変化することによって、発光態様をさらに増加させて遊技に対する興趣の一層の向上を図ることができる。
【００１８】
そして、このような下向き発光手段には、上記した発光手段と同様に、発光素子（単色発光ＬＥＤ、フルカラー発光ＬＥＤ等）やランプ（白熱灯、ハロゲンランプ等）が用いられる。なお、ハロゲンランプのような指向性の弱い発光手段を用いる場合には、下向き発光手段と上記した発光手段とを兼用してもよい。また、ＬＥＤを用いる場合には、例えば光軸が基板表面と直交するトップビュータイプを下向き発光手段に採用し、光軸が基板表面と平行のサイドビュータイプを上記した発光手段に採用すれば、発光基板の同一面（単一面）に両発光手段を容易に実装することができる。
【００１９】
開閉扉が突出位置にあるとき、複数の球通過孔を構成する窓枠の流下方向上手側端部には、流下方向下手側ほど窓枠の幅が拡がるように連続的に変化する平面状又は曲面状の傾斜面を形成し、
流下方向上手側に位置する遊技領域から導かれた遊技球を、傾斜面で案内し、球通過孔を通過させて流下方向下手側に位置する入賞領域に導くことができる。
【００２０】
窓枠に形成された傾斜面によって、開閉扉の突出位置（倒伏位置）においては、窓枠に当接（衝突）した遊技球が跳ね返ることにより新たな興趣が生まれ、開閉扉が収納位置（起立位置）へ移動する過程においては球詰まりや球噛みの防止が図れる。
【００２１】
なお、窓枠の流下方向上手側端部に形成される傾斜面の断面形状として、テーパー（勾配）状、三角形状、円弧状等を用いることができ、窓枠毎に異なる断面形状としてもよい。
【００２２】
そこで、上記課題を解決するために、本発明の遊技機は、
以上のような遊技機用可変入賞装置が遊技盤に固定配置されたことを特徴とする。
【００２３】
これによって、興趣に富む盤面構成を有する遊技機を実現するとともに、構造の簡素化・小型化及び省エネルギー化を図ることができ、賞球の不正取得行為を防止することも可能となる。
【発明を実施するための最良の形態】
【００２４】
（実施例）
以下、本発明の実施の形態を図面を参照しつつ説明する。図１は本発明に係る遊技機用可変入賞装置（以下、単に入賞装置ともいう）を備えたパチンコ機を例示する正面図、図２は本発明に係る入賞装置の一例を示し、下扉が閉鎖位置にあるときの正面図及び斜視図、図３はその下扉が開放位置にあるときの正面図及び斜視図である。また、図４は図２の主要部を示す斜視図、図５は図３の主要部を示す斜視図である。図１に示すように、パチンコ機１（遊技機）の遊技盤２の盤面２ａ（前面）には、ほぼ左半周が内外２本の発射レール２ｂによって区画され、全体としてほぼ円形の遊技領域２ｃが形成されている。遊技領域２ｃの中央には液晶表示部３が搭載され、液晶表示部３の下方（遊技領域２ｃの中央下部）に入賞装置４が配置されている。なお、液晶表示部３と入賞装置４との間には、一対の回動翼片８ａ，８ａによって形成される電動チューリップ（電チュー）形の始動入賞口８が配置されている。
【００２５】
図２及び図３に示すように、この入賞装置４は遊技盤２（図１参照）に固定するための台板５を含んで構成され、台板５は、流下方向を上下方向としその交差方向を左右方向としたとき、左右方向を長手方向とする矩形状に形成された大入賞口５ｂ（入賞口）を有する。したがって、発射レール２ｂから打ち出された遊技球は、遊技盤２の盤面２ａ上に形成された遊技領域２ｃから大入賞口５ｂを通過して後方側（遊技者の位置する前方側とは反対側）に向かう入賞領域５ｃへ導入される（図１，図３（ａ）参照）。
【００２６】
図４及び図５にも示すように、入賞装置４は、大入賞口５ｂに回動可能に嵌め込まれた矩形状の下扉１０（入賞扉）と、大入賞口５ｂの上方で回動可能に配置された矩形状の上扉２０（開閉扉）と、下扉１０を回動変位させるためのソレノイド３０（アクチュエータ）と、ソレノイド３０による下扉１０の回動変位と同期して上扉２０を回動変位させるための連動機構４０と、遊技者側を照射するための前向きＬＥＤ５１（発光手段）と入賞領域５ｃを下向きに照射する下向きＬＥＤ５２（下向き発光手段）が実装された発光基板５０とを備えている（図６参照）。
【００２７】
下扉１０は、遊技盤２（図１参照）と平行状で大入賞口５ｂの下辺に沿って左右方向に延びる第一回動軸線Ｏ１周りで回動可能に配置されている。そして、遊技盤２に沿って起立することにより大入賞口５ｂを閉鎖して遊技球の入賞領域５ｃへの導入を不能とする閉鎖位置（図２，図４）と、遊技領域２ｃへ交差状（例えば、ほぼ直交状）に突出することにより大入賞口５ｂを開放して遊技球の入賞領域５ｃへの導入を可能とする開放位置（図３，図５）とに変位する。
【００２８】
上扉２０は、下扉１０の上方において、下扉１０と等しい左右幅を有し、第一回動軸線Ｏ１と平行状で大入賞口５ｂの上辺に沿って左右方向に延びる第二回動軸線Ｏ２周りで回動可能に配置されている。そして、遊技盤２（図１参照）に沿って収納される収納位置（すなわち起立位置；図２，図４）と、遊技領域２ｃへ交差状（例えば、ほぼ直交状）に突出する突出位置（すなわち倒伏位置；図３，図５）とに変位する。
【００２９】
また、上扉２０には、厚み方向（前後方向）に貫通して球通過孔２１が形成されている。この球通過孔２１は、上扉２０が収納位置（起立位置）にあるときには、台板５に固定された透光性（例えば透明）のレンズ６（固定部材）によって、遊技領域２ｃと入賞領域５ｃとの連通状態を封鎖されている（図２）。一方、上扉２０が突出位置（倒伏位置）にあるときには、球通過孔２１が遊技領域２ｃと入賞領域５ｃとを連通状態に維持して、遊技球を入賞領域５ｃに入賞させる（図３）。
【００３０】
具体的には、球通過孔２１は、上扉２０の左右方向（長手方向）に沿って複数（例えば４個）の窓孔状に並んで配置され、レンズ６は各球通過孔２１に対応する形で同数（４個）に分割形成されている。したがって、上扉２０が突出位置にあるとき、各球通過孔２１は、開放位置にある下扉１０の上方において遊技領域２ｃから導入された遊技球が通過可能に開口している（図３（ｂ））。つまり、上扉２０（球通過孔２１）は擬似的な扉（開口）であるダミー扉（ダミー開口）として機能している。このようにして球通過孔２１を通過した遊技球は、開放位置にある下扉１０の内面で受け止められるので、大入賞口５ｂを通過して入賞領域５ｃへ滞りなく円滑に導入される。
【００３１】
上扉２０が収納位置にあるとき、各球通過孔２１は対応するレンズ６で塞がれて、上扉２０の窓枠２２の前方側の表面とレンズ６の前方側の表面とが面一状になるように配置されている。また、これらの表面は、閉鎖位置にある下扉１０の前方側の表面とも面一状になるように配置されている。これによって、遊技球は上扉２０や下扉１０で球詰まりすることなく円滑に遊技領域２ｃを流下するとともに、上扉２０や下扉１０を外部から回動変位する不正行為を防止しやすくなる。
【００３２】
なお、ソレノイド３０は遊技盤２（図１参照）と交差（例えば直交）状に配置され、下扉１０を第一回動軸線Ｏ１周りで回動して閉鎖位置（図４）と開放位置（図５）とに変位させる。また、連動機構４０は、ソレノイド３０による閉鎖位置と開放位置との間での下扉１０の変位と同期して、上扉２０を収納位置（図４）と突出位置（図５）との間で変位させる。さらに、前向きＬＥＤ５１及び下向きＬＥＤ５２は、ソレノイド３０による閉鎖位置と開放位置との間での下扉１０の変位と同期して発光態様（例えば消灯と点灯）が変化する（図６）。
【００３３】
このように、入賞装置４では、下扉１０がソレノイド３０によって閉鎖位置（図２，図４参照）と開放位置（図３，図５参照）との間を可逆的に揺動変位するのに伴い、これに追随して上扉２０は連動機構４０を介して収納位置（図２，図４参照）と突出位置（図３，図５参照）との間を可逆的に揺動変位するとともに、前向きＬＥＤ５１及び下向きＬＥＤ５２の発光態様が変化する（図６）。
【００３４】
図２及び図３に戻り、台板５には左右一対の起立壁５ａが一体成形され、起立壁５ａは、大入賞口５ｂの長手方向両側縁から前方側に向けてそれぞれ立設されている。この起立壁５ａは、開放位置に変位した下扉１０の長手方向両端から遊技領域２ｃへ遊技球がこぼれ出るのを防止している。なお、符号７は遊技領域２ｃ（図１参照）から大入賞口５ｂを通過して入賞領域５ｃへ導入された遊技球を検出するための近接スイッチ（検出センサ；入賞球検出手段）を示す。
【００３５】
次に図２及び図６により、前向きＬＥＤ５１、下向きＬＥＤ５２及び発光基板５０について詳細説明する。発光基板５０はレンズ６の後方側に配置されるとともに、前向きＬＥＤ５１とレンズ６とは、上扉２０の４個の球通過孔２１に対応する形で設けられ、前向きＬＥＤ５１から出た光は対応するレンズ６を透過して遊技者側を照射する。各々の球通過孔２１を構成する窓枠は非透光性材料（例えば黒色材料）で形成され、表示領域の区切りを明瞭にして前向きＬＥＤ５１を視認しやすくしてある。さらに具体的には、図６に示すように、発光基板５０は収納位置にある上扉２０の後方において入賞領域５ｃの上方に配置され、下向きＬＥＤ５２はその入賞領域５ｃを下向きに照射する。下向きＬＥＤ５２は、中央２個のレンズ６（球通過孔２１）に対応して（図２（ａ））、前向きＬＥＤ５１の前方に実装されている（図６）。
【００３６】
具体的には、図６に示すように、前向きＬＥＤ５１には、光軸が発光基板５０の表面と平行のサイドビュータイプを採用し、下向きＬＥＤ５２には、光軸が発光基板５０の表面と直交するトップビュータイプを採用している。これによって、発光基板５０の同一面（例えば下面）に共通して両ＬＥＤ５１，５２を実装できる。
【００３７】
図７の断面図に示すように、上扉２０は、突出位置（倒伏位置）にあるとき、複数（例えば４個）の球通過孔２１を構成する窓枠２２の上端部（流下方向上手側端部）に、下方側（流下方向下手側）ほど窓枠２２の幅が拡がるように連続的に変化する平面状の傾斜面２３が形成されている。この実施例では、傾斜面２３は各窓枠２２の上面が同じ勾配で傾斜するテーパー面で形成されている。したがって、上方側（流下方向上手側）に位置する遊技領域２ｃ（図１参照）から導かれた遊技球は、傾斜面２３で案内され、球通過孔２１を通過して下方側（流下方向下手側）に位置する入賞領域５ｃ（図３参照）に導かれる。このように、窓枠２２に傾斜面２３が形成されていることによって、突出位置においては、窓枠２２に当接した遊技球が跳ね返ることにより新たな興趣が生まれ、収納位置へ移動する過程においては、上扉２０による球詰まりや球噛みの防止が図れる。
【００３８】
このような入賞装置４について、図１〜図６により、遊技盤２上での入賞装置４の作動について概略を説明する。始動入賞口８へ遊技球が入賞すると当否抽選が実行され、その抽選結果が大当たりであると、液晶表示部３に大当たり図柄（例えば「７７７」のゾロ目）が表示される。さらに、入賞装置４のソレノイド３０が励磁されて、下扉１０が第一回動軸線Ｏ１周りに回動して開放位置（図３）へ変位し、連動機構４０を介して上扉２０が第二回動軸線Ｏ２周りに回動して突出位置（図３）へ変位するとともに、前向きＬＥＤ５１及び下向きＬＥＤ５２が点灯する。そして、大入賞口５ｂへの所定個数（例えば１０個）の入賞を近接スイッチ７が検出したとき、又は所定時間（例えば３０秒）が経過したときに下扉１０が閉鎖位置（図２）へ変位し、上扉２０が収納位置（図２）へ変位するとともに、前向きＬＥＤ５１及び下向きＬＥＤ５２が消灯する。これを１ラウンド（１Ｒ）として所定のラウンド数（例えば１５Ｒ）が繰り返され、遊技者はこの間に大量の賞球を獲得することができる。
【００３９】
このとき、ダミー扉としての上扉２０の取付空間にＬＥＤ５１，５２を配置することができるので、発光基板５０設置のための省スペース化と発光制御の単純化とを図ることができる。連動機構４０により上扉２０がダミー扉として下扉１０と連動して揺動開閉し、前向きＬＥＤ５１及び下向きＬＥＤ５２の発光態様が変化するので、入賞期待感が付与されて遊技に対する興趣が飛躍的かつ持続的に高められる。また、連動機構４０により下扉１０と上扉２０とが同期して作動し、前向きＬＥＤ５１及び下向きＬＥＤ５２の発光態様が変化するので、ソレノイド３０やＬＥＤ５１，５２を増加させずに構造の簡素化・小型化及び省エネルギー化を図ることができる。さらに、下扉１０と上扉２０との間の連動機構４０にロック機構を設ければ、外部からいずれの扉を開こうと操作しても下扉１０（大入賞口５ｂ）は開放位置に移動せず、賞球の不正取得行為（ゴト行為）を防止することができる。
【００４０】
（変形例）
図８に前向きＬＥＤの第一の変形例を示す。図８に示す前向きＬＥＤ１５１（発光手段）には、複数（例えば４個）の窓枠２２を表示領域の単位として、各窓枠２２に７セグメントでのＬＥＤ表示方式が採用されている。これによって、始動入賞口８での入賞に基づく当否抽選の結果を、前向きＬＥＤ１５１によって４桁のアラビヤ数字等でセグメント表示してもよい。
【００４１】
図９に前向きＬＥＤの第二の変形例を示す。図９に示す前向きＬＥＤ２５１（発光手段）はドットマトリクスでのＬＥＤ表示方式で構成され、その前方側に複数（例えば４個）の窓枠２２を有する上扉２０を被せてある。これによって、始動入賞口８での入賞に基づく当否抽選の結果を、前向きＬＥＤ２５１によって４桁のアラビヤ数字等でドット表示してもよい。
【００４２】
図１０に上扉の変形例を示す。図１０（ａ）に示す上扉１２０では、傾斜面１２３は下方側（流下方向下手側）ほど窓枠２２の幅が拡がるように、断面円弧状（アール状）に形成されている。また、図１０（ｂ）に示す上扉２２０では、傾斜面２２３は下方側（流下方向下手側）ほど窓枠２２の幅が拡がるように、断面三角状に形成されている。さらに、図１０（ｃ）に示す上扉３２０では、球通過孔３２１を３個で構成するとともに、傾斜面３２３は下方側（流下方向下手側）ほど窓枠２２の幅が拡がるように、断面円弧状（アール状）に形成されている。そして、図１０（ｄ）に示す上扉４２０では、球通過孔４２１を３個で構成するとともに、傾斜面２３は下方側（流下方向下手側）ほど窓枠２２の幅が拡がるように、各窓枠２２の上面が同じ勾配で傾斜するテーパー面で形成されている。
【００４３】
なお、以上の変形例において、実施例（図１〜図７）と共通する機能を有する部分には同一符号を付して説明を省略した。
【図面の簡単な説明】
【００４４】
【図１】本発明に係る入賞装置を備えたパチンコ機を例示する正面図。
【図２】本発明に係る入賞装置の一例を示し、下扉が閉鎖位置にあるときの正面図及び斜視図。
【図３】図２の下扉が開放位置にあるときの正面図及び斜視図。
【図４】図２の主要部を示す斜視図。
【図５】図３の主要部を示す斜視図。
【図６】図２（ａ）のＡ−Ａ断面図。
【図７】図２の上扉の正面図及びＢ−Ｂ断面図。
【図８】図２（ａ）の第一変形例を示す正面図及びＣ−Ｃ断面図。
【図９】図２（ａ）の第二変形例を示す正面図及びＤ−Ｄ断面図。
【図１０】図７（ａ），（ｂ）の各種変形例を示す正面図及び断面図。
【符号の説明】
【００４５】
１          パチンコ機（遊技機）
２          遊技盤
２ａ        盤面
２ｂ        レール
２ｃ        遊技領域
３          液晶表示部
４          入賞装置（遊技機用可変入賞装置）
５          台板
５ａ        起立壁
５ｂ        大入賞口（入賞口）
５ｃ        入賞領域
６          レンズ（固定部材）
７          近接スイッチ（検出センサ；入賞球検出手段）
８          始動入賞口
８ａ        回動翼片
１０        下扉（入賞扉）
２０        上扉（開閉扉）
２１        球通過孔
２２        窓枠
２３        傾斜面
３０        ソレノイド（アクチュエータ）
４０        連動機構
５０        発光基板
５１        前向きＬＥＤ（発光手段）
５２        下向きＬＥＤ（下向き発光手段）
Ｏ１        第一回動軸線
Ｏ２        第二回動軸線
【図１】
2008272230.tif 000003
【図２】
2008272230.tif 000004
【図３】
2008272230.tif 000005
【図４】
2008272230.tif 000006
【図５】
2008272230.tif 000007
【図６】
2008272230.tif 000008
【図７】
2008272230.tif 000009
【図８】
2008272230.tif 000010
【図９】
2008272230.tif 000011
【図１０】
2008272230.tif 000012